(57)【要約】【課題】  より美観に優れた巾木を提供する。【解決手段】  床材と壁材との境界部分に配置される巾木であって、前記壁材の裏面側に位置し立壁状に構成された裏側立壁部と、前記壁材の表面側に位置し立壁状に構成されるとともに、その上部から下部に向かって前記裏側立壁部の方向に傾斜するように構成された表側立壁部と、前記裏側立壁部と前記表側立壁部とを連結するように構成された連結部と、を含む巾木である。【選択図】  図２
2022000562.tif 000002
【特許請求の範囲】
【請求項１】
床材と壁材との境界部分に配置される巾木であって、
前記壁材の裏面側に位置し立壁状に構成された裏側立壁部と、
前記壁材の表面側に位置し立壁状に構成されるとともに、その上部から下部に向かって前記裏側立壁部の方向に傾斜するように構成された表側立壁部と、
前記裏側立壁部と前記表側立壁部とを連結するように構成された連結部と、
を含む巾木。
【請求項２】
前記巾木は押出加工可能な材料によって形成された、請求項１に記載の巾木。
【請求項３】
前記材料は、金属材料、合成樹脂材料及びそれらの組み合わせの少なくとも一つから選択される、請求項２に記載の巾木。
【請求項４】
前記材料はアルミニウムである、請求項２又は３に記載の巾木。
【請求項５】
前記表側立壁部は、その上部の少なくとも一部が前記裏側立壁部の方向に曲面を有するように屈曲して構成された表側立壁上端部を含む、請求項１〜４のいずれか一項に記載の巾木。
【請求項６】
前記壁材は前記表側立壁上端部に載置される、請求項５に記載の巾木。
【請求項７】
前記連結部は前記床材に固定するための固定具を位置決めするように構成された位置決め部を含む、請求項１〜６のいずれか一項に記載の巾木。
【請求項８】
前記連結部は前記床材に固定するための固定具を挿入するように構成された固定穴部を含む、請求項１〜６のいずれか一項に記載の巾木。
【請求項９】
前記表側立壁部の上端と前記裏側立壁部の上端とによって壁材側開口を形成するとともに、前記表側立壁部の下端と前記裏側立壁部の下端とによって床材側開口を形成し、
前記壁材側開口及び前記床材側開口を介して前記固定具が前記床材に固定される、
請求項７又は８に記載の巾木。
【請求項１０】
前記表側立壁部はその上部の少なくとも一部が前記壁材の表面から突出するように構成された、請求項１〜９のいずれか一項に記載の巾木。
【請求項１１】
前記表側立壁部の前記突出した部分が曲面として構成された、請求項１０に記載の巾木。
【請求項１２】
前記巾木は前記壁材の表面を被覆しないように構成された、請求項１〜１１のいずれか一項に記載の巾木。
【発明の詳細な説明】
【技術分野】
【０００１】
本開示は、床材と壁材との間に施工される巾木に関する。
【背景技術】
【０００２】
従来より、床材と壁材との間の取り合い部分に、美観の向上などの目的で設置される巾木が知られていた。例えば、特許文献１には、巾木本体と巾木本体の下部に構成され嵌合突条が嵌合可能な嵌合溝が設けられた不陸調整部材とによって、壁面と床面との当接面に生じうる隙間を塞ぐ能力に優れた巾木が記載されている。このような巾木においては、巾木本体と不陸調整部材との間に目地を設ける必要がないので、床面に部分的な不陸や沈下が発生しても美観を損ねるおそれがない。
【先行技術文献】
【特許文献】
【０００３】
【特許文献１】特開２００３−４１７６１号公報
【発明の概要】
【発明が解決しようとする課題】
【０００４】
そこで、上記のような技術を踏まえ、本開示では、より美観に優れた巾木を提供することを目的とする。
【課題を解決するための手段】
【０００５】
本開示の一態様によれば、「床材と壁材との境界部分に配置される巾木であって、前記壁材の裏面側に位置し立壁状に構成された裏側立壁部と、前記壁材の表面側に位置し立壁状に構成されるとともに、その上部から下部に向かって前記裏側立壁部の方向に傾斜するように構成された表側立壁部と、前記裏側立壁部と前記表側立壁部とを連結するように構成された連結部と、を含む巾木」が提供される。
【発明の効果】
【０００６】
本開示によれば、より美観に優れた巾木を提供することができる。
【０００７】
なお、上記効果は説明の便宜のための例示的なものであるにすぎず、限定的なものではない。上記効果に加えて、または上記効果に代えて、本開示中に記載されたいかなる効果や当業者であれば明らかな効果を奏することも可能である。
【図面の簡単な説明】
【０００８】
【図１】図１は、本開示の第１実施形態に係る巾木１が配置された例を示す断面図である。
【図２】図２は、本開示の第１実施形態に係る巾木１の全体の構成を示す斜視図である。
【図３】図３は、本開示の第１実施形態に係る巾木１の平面図である。
【図４】図４は、本開示の第１実施形態に係る巾木１の断面図である。
【図５】図５は、本開示の第１実施形態に係る巾木１の施工行程の例を示すフロー図である。
【図６】図６は、本開示の第２実施形態に係る巾木１００の全体の構成を示す斜視図である。
【図７】図７は、本開示の第２実施形態に係る巾木１００の平面図である。
【図８】図８は、本開示の第２実施形態に係る巾木１００の断面図である。
【発明を実施するための形態】
【０００９】
添付図面を参照して本開示の様々な実施形態を説明する。なお、図面における共通する構成要素には同一の参照符号が付されている。
【００１０】
＜第１実施形態＞
１．巾木１の配置の例
本開示の第１実施形態に係る巾木１は、主に、床材３と壁材４との境界部分に配置される。図１は、本開示の第１実施形態に係る巾木１が配置された例を示す断面図である。図１によると、主に垂直方向に施工された通し柱や管柱などの柱材２に対して、水平方向に床材３が施工される。巾木１は、後側面の少なくとも一部が柱材２に接し、下部が床材３に当接するように配置されている。このとき、巾木１は、床材３に対してネジ又は釘などの固定具５によって固定されている。そして、巾木１の上部に壁材４が載置されるとともに、壁材４が柱材２に接着されている。
【００１１】
このように、巾木１は、壁材４と床材３との間に形成された境界部分に配置される。このとき、巾木１は壁材４の表面側に接着剤などを用いて張り付けることによって固定するのではなく、床材３に対して固定され、壁材４は固定された巾木１の上に載置されるだけである。したがって、巾木１は、壁材４の表面側（家屋などの室内空間側）を被覆することなく配置可能である。また、巾木１は、上記のとおり壁材４の表面側を被覆する費用はないため、巾木１の垂直方向の幅（高さ）をより小さくすることが可能である。よって、巾木１は、壁材４と床材３との間に形成された境界部分を被覆し気密性を保ちつつ、より美観の向上を図ることが可能となる。
【００１２】
２．巾木１の全体構成
図２は、本開示の第１実施形態に係る巾木１の全体の構成を示す斜視図である。図２によれば、巾木１は、壁材４の下面長手方向に沿うように、水平方向に伸延した直棒状の形状を有する。なお、図２の例では、上記のとおり巾木１を直棒状に形成しているが、必ずしも直棒状にする必要はない。例えば、巾木１は、全体に湾曲した弓形形状や、少なくとも一部が屈曲した屈曲形状など、いかなる形状であってもよい。すなわち、巾木１は、壁材４の下面長手方向に沿う形状であればいずれの形状であってもよい。
【００１３】
巾木１は、図１の断面図にも示されたように、壁材４の裏面４ｂ側に位置し柱材２の側面長手方向に沿って立壁状に形成された裏側立壁部２０と、壁材の表面４ａ側に位置し柱材２の側面長手方向に沿って立壁状に形成された表側立壁部１０と、裏側立壁部２０と表側立壁部１０とを連結する連結部３０とを含む。図２の例では、裏側立壁部２０は床材３によって形成される床面に対して略垂直方向に伸延した形状を有する。また、表側立壁部１０はその上部が裏側立壁部２０の方向に屈曲するとともに、その上部から下部に向かって裏側立壁部２０の方向に傾斜する傾斜面を有する。また、連結部３０は、裏側立壁部２０と表側立壁部１０の略中央付近で両者を連結する。
【００１４】
巾木１は、アルミニウム、チタン、ステンレス、亜鉛引き鋼板などの金属材料、ＡＢＳ樹脂、塩化ビニル樹脂、ウレタン樹脂、アクリル樹脂、ポリエステル樹脂、ポリエチレン樹脂などの合成樹脂材料、石、木、タイル及びそれらの組み合わせなど、様々な材料を用いることが可能である。ここで、巾木１は、図１及び図４などで示されている通り、全体として壁材４の下面長手方向に沿う形状をし、表側立壁部１０に傾斜面と屈曲部が形成されている。したがって、巾木１の材料としては、加工・成形方法の観点から押出加工・成形が可能な材料を用いるのが好ましい。すなわち、巾木１の材料としては、金属材料又は合成樹脂材料が好ましく、アルミニウムがより好ましい。
【００１５】
巾木１は、押出加工、引抜加工、圧延加工、曲げ加工、プレス加工、射出成型、ブロー成型、プレス成型、圧縮成形など、用いる材料に応じた様々な加工・成形方法によって形成することが可能である。ここで、巾木１は、図１及び図４などで示されている通り、全体として壁材４の下面長手方向に沿う形状をし、表側立壁部１０に傾斜面と屈曲部が形成されている。したがって、加工・成型精度や容易さの観点から、押出加工・成型が好ましい。特に、巾木１は、材料としてアルミニウムを用い押出加工によって表側立壁部１０、裏側立壁部２０及び連結部３０の各部が一体的に加工・成型することが可能である。
【００１６】
なお、特に図示はしないが、巾木１は、上記材料に加えて、化粧シート、防腐剤、防錆剤、塗料など、その目的に応じて、種々のシートや材料を組み合わせて用いてもよい。また、上記のとおり、巾木１は壁材４の下面長手方向に沿う方向に棒状に形成されているが、その長さは壁材４の下面長手方向の長さに合わせて任意の長さに加工することが可能である。
【００１７】
図３は、本開示の第１実施形態に係る巾木１の平面図である。図３によれば、巾木１は、表側立壁部１０、裏側立壁部２０及び連結部３０は、それぞれ、壁材４の下面長手方向に沿う方向に、横長に伸延した形状を有する。また、連結部３０は、巾木１を床材３に対して固定するための固定具を挿入するための複数の固定穴部３２−１〜３２−ｎと、当該固定具を固定穴部３２−１〜３２−ｎ以外の場所に打ち付ける際に位置決めするための位置決め部として機能する溝部３１とを含む。
【００１８】
固定穴部３２−１〜３２−ｎは巾木１の長手方向に沿って等間隔に配置され、各固定穴部３２−１〜３２−ｎは固定具を挿入可能なように連結部３０の厚さ方向に貫通した貫通孔として形成されている。なお、固定穴部３２−１〜３２−ｎは、巾木１の長手方向の長さに応じて適宜設ければよく、巾木１に対して１個でもよく複数個あってもよい。また、その間隔も必ずしも等間隔である必要はなく、例えば固定強度の観点から、巾木１の中心に向かうにしたがって間隔が狭くなるように配置してもよい。
【００１９】
溝部３１は巾木１の長手方向に沿って連結部３０の上面側に、Ｖ字状に形成されている。このような溝部３１は、固定具を任意の位置で床材３に対して打ち込むときの位置決めに用いられる。なお、溝部３１は、巾木１の一端から他端に向かって直線状に形成しているが、必ずしも直線状に形成する必要はない。例えば等間隔の点状に形成してもよい。また、その断面形状もＶ字状に形成する必要はなく、凸状、凹状、Ｕ字状などの様々な形状に形成することが可能である。また、溝部３１は位置決め用に用いているものであるため必ずしも形成する必要はない。
【００２０】
３．巾木１の断面構成
図４は、本開示の第１実施形態に係る巾木１の断面図である。具体的には、図４は、図３に示された巾木１のＡ−Ａ’断面を示す図である。図４によると、床材３によって形成される床面に対して略垂直に裏側立壁部２０が形成されている。裏側立壁部２０は、その下端２２ａ付近の一部が表側立壁部１０方向（すなわち、壁材４の表面４ａ方向）に屈曲するように形成された裏側立壁下端部２２と、裏側立壁下端部２２に接続され床面に対して略垂直に形成された裏側立壁本体部２１とを有する。このうち、裏側立壁下端部２２は、その下面側で床面に接触することによって、巾木１を床面上に配置することが可能となる。また、裏側立壁本体部２１は、その上端２３ａで壁材４の下面と当接することで、壁材４を巾木１上に載置することが可能となる。
【００２１】
また、裏側立壁部２０を構成する裏側立壁本体部２１は、床面に対して垂直な方向に、高さＨ１となるように形成される。この高さＨ１は、壁材４と床材３の境界部分に形成される空間の大きさに合わせて適宜調整することが可能である。高さＨ１の一例としては、５．０ｍｍ〜１２０．０ｍｍ、好ましくは１０．０ｍｍ〜５０．０ｍｍ、より好ましくは１２．０ｍｍ〜２０．０ｍｍである。また、裏側立壁部２０は、その上端２３ａから下端２２ａにかけて一様な幅Ｗ２で形成された略板状の形状を有する。裏側立壁部２０の短手方向の幅Ｗ２は、加工精度や強度の観点から、０．５ｍｍ〜１０．０ｍｍ、好ましくは０．８ｍｍ〜５．０ｍｍ、より好ましくは１．０ｍｍ〜２．５ｍｍである。
【００２２】
図４によると、床材３によって形成される床面に対して所定の角度θだけ傾斜するように表側立壁部１０が形成されている。より具体的には、当該表側立壁部１０は、その表側表面と床面とがなす角度が所定の角度θとなるように形成されている。すなわち、表側立壁部１０の上部から下部に向かって角度θ分だけ裏側立壁部２０の方向に傾斜する。この角度θは、４５°〜８０°、好ましくは５０°〜７０°である。
【００２３】
また、表側立壁部１０は、その下端１２ａ付近の一部が裏側立壁部２０方向（すなわち、壁材４の裏面４ｂ方向）に屈曲するように形成された表側立壁下端部１２と、一端が表側立壁下端部１２に接続され傾斜面状に形成された表側立壁本体部１１と、上部の少なくとも一部が裏側立壁部２０方向（すなわち壁材４の裏面４ｂ方向）に屈曲して形成された表側立壁上端部１３と、表側立壁本体部１１の他端と表側立壁上端部１３とを接続する屈曲部１４とを有する。
【００２４】
このうち、表側立壁下端部１２は、その下面側で床面に接触することによって、巾木１を床面上に配置することが可能となる。表側立壁本体部１１は、その表面側が床面に対して角度θで傾斜した傾斜面を有する。このように、傾斜面を有することによって巾木１を視覚的に目立ちづらくすることが可能である。表側立壁上端部１３は、その上面側で壁材４の下面と当接することで、壁材４を巾木１上に載置することが可能である。屈曲部１４は、少なくとも表面側が曲面Ｃ１を有する。これは、表側立壁部１０のうち少なくとも屈曲部１４は、壁材４の表面４ａから室内空間方向に突出するように配置されるため、この突出した部分にヒトや家具などの他の物体が接触して傷つく恐れがあったり、塵や埃などが積層してしまう恐れがある。そのため、突出した屈曲部１４の表面を曲面Ｃ１のように形成することで、それらを防止することが可能となる。
【００２５】
また、表側立壁部１０は、その上端１３ａから下端１２ａにかけて一様な幅Ｗ３で形成された略板状の形状を有する。表側立壁部１０の短手方向の幅Ｗ３は、加工精度や強度の観点から、０．５ｍｍ〜１０．０ｍｍ、好ましくは０．８ｍｍ〜５．０ｍｍ、より好ましくは１．０ｍｍ〜２．５ｍｍである。
【００２６】
図４によると、裏側立壁部２０及び表側立壁部１０を連結するように、床面に略平行な方向に連結部３０が形成されている。連結部３０の一端は、裏側立壁本体部２１の略中央付近に、他端は表側立壁本体部１１の略中央付近に結合する。また、連結部３０は、図３に示した通り、固定穴部３２及び位置決め部として機能する溝部３１を含む。このうち、固定穴部３２は、連結部３０の上面から下面にかけて貫通した貫通孔として形成されている。溝部３１は、連結部３０の上面側に深さが１ｍｍ以下で断面がＶ字状になるように形成されている。
【００２７】
また、連結部３０は、一端から他端にかけて一様な幅Ｗ１で形成された略板状の形状を有する。連結部３０の短手方向の幅Ｗ３は、固定具で床材３に固定される際の強度の観点から、０．５ｍｍ〜２０．０ｍｍ、好ましくは０．８ｍｍ〜１０．０ｍｍ、より好ましくは１．０ｍｍ〜３．０ｍｍである。特に、本実施形態においては、裏側立壁部２０や表側立壁部１０よりも肉厚に形成されている。
【００２８】
ここで、巾木１は、少なくとも一部に裏側立壁部２０の上端２３ａ及び表側立壁部１０の上端１３ａが互いに離隔して壁材側開口Ｏ１が形成されている。また、少なくとも一部に裏側立壁部２０の下端２２ａ及び表側立壁部１０の下端１２ａが互いに離隔して床材側開口Ｏ２が形成されている。これは、壁材側開口Ｏ１を介して固定具が上方から固定穴部３２に挿入され、次いで床材側開口Ｏ２を介して床材３に固定具が挿入され固定されるためである。すなわち、連結部３０の固定穴部３２、壁材側開口Ｏ１及び床材側開口Ｏ２は、床面に対して垂直な方向に互いに少なくとも一部が重なる位置に形成される。また、その開口幅も、固定具の太さに応じて調整される。
【００２９】
４．施工工程
図５は、本開示の第１実施形態に係る巾木１の施工行程の例を示すフロー図である。具体的には、例えば家屋などの構造建築物において、柱材２、床材３、壁材４などを含む他の部材とともに巾木１が施工される工程の一例を示す図である。図５によると、配筋やコンクリートの流し込みなどの基礎工事を経て土台の施工などが終わると、その土台の上に柱材２を含む枠組みのくみ上げを行う柱材施工工程が行われる（Ｓ１００）。次に、くみ上げられた柱材２の間に床材３を施工し床面を形成する床材施工工程が行われる（Ｓ２００）。次に、施工された床材３と柱材２に沿って、本実施形態に係る巾木１を所定の位置に配置し、固定具を用いて床材３に固定する巾木施工工程が行われる（Ｓ３００）。次に、施工された巾木１と柱材２に沿って巾木１の上面に壁材４を載置し、その壁材４を柱材２に接着剤、ネジ、釘などによって固定する壁材施工工程が行われる（Ｓ４００）。これによって、本実施形態に係る巾木１が施工される。
【００３０】
ここで、例えば背景技術に示す特許文献に記載された巾木などのように、壁材の前面側に被覆するように配置される巾木を用いる場合には、壁材施工工程が終了したのちに巾木施工工程を実施する必要がある。しかし、本実施形態における巾木１は、壁材４の表面４ａを被覆することなく施工することが可能であるため、図５に示す通り、壁材施行工程の前に巾木施工工程を実施することが可能となる。
【００３１】
なお、図５においては、床面や壁面のクロス貼りなどの内装工事や屋根工事、防水処理などの外壁工事などの行程については省略しているが、当然それらを適宜のタイミングで行ことが可能である。また、図５に示す工程は単なる一例であって構造建築物に応じた最適な工程で適宜巾木１の施工をすることが可能である。
【００３２】
以上、本実施形態においては、巾木１の表側立壁部１０をその上部から下部にかけて裏側立壁部２０の方向に傾斜するように形成するとともに、巾木１の上面側に壁材４を載置するようにした。これによって、より美観に優れた巾木を提供することが可能となる。また、表側立壁部１０の屈曲部１４は曲面Ｃ１を有する。これによって、美観を向上するとともに、他の物体の接触による損傷や、塵や埃などの積層を防止することが可能となる。さらに、巾木１は、アルミニウムなどの材料を押出加工することによって、表側立壁部１０の傾斜面や屈曲部１４の曲面Ｃ１の形成が可能となる。
【００３３】
＜第２実施形態＞
第１実施形態では、巾木１は壁材４の下面長手方向に沿って直棒状に形成した場合について説明した。第２実施形態では、壁面のコーナー部分に適用可能な少なくとも一か所が屈曲し略Ｌ字状に形成された巾木１００について説明する。なお、本実施形態は、以下で具体的に説明する点を除いて、第１実施形態における構成、工程、処理と同様である。したがって、それらの事項の詳細な説明は省略する。
【００３４】
図６は、本開示の第２実施形態に係る巾木１００の全体の構成を示す斜視図である。図６によれば、巾木１００は、壁材の下面長手方向に沿うように形成されるが、壁面のコーナー部分の角形状に沿うように、略Ｌ字状の形状を有する。なお、壁面のコーナー部分の形状には入隅と出隅があり、図６の例は出隅用の巾木の例を示すが、当然入隅用に巾木を形成することも可能である。
【００３５】
巾木１００は、壁材の裏面側に位置し柱材の側面長手方向に沿って立壁状に形成された裏側立壁部１２０と、壁材の表面側に位置し柱材の側面長手方向に沿って立壁状に形成された表側立壁部１１０と、裏側立壁部１２０と表側立壁部１１０とを連結する連結部１３０とを含む。
【００３６】
図７は、本開示の第２実施形態に係る巾木１００の平面図である。図７によれば、巾木１００は、表側立壁部１１０、裏側立壁部１２０及び連結部１３０は、それぞれ、壁材４の下面長手方向に沿う方向に、横長に伸延した形状を有する。また、連結部３０は、巾木１を床材３に対して固定するための固定具を挿入するための複数の固定穴部１３２−１及び１３２−２と、当該固定具を固定穴部１３２−１及び１３２−２以外の場所に打ち付ける際に位置決めするための位置決め部として機能する溝部１３１とを含む。なお、本実施形態では２個の固定穴部１３２−１及び１３２−２が含まれているが、当然１個でもよいし、３個以上であってもよい。
【００３７】
ここで、巾木１００は、少なくとも一か所が屈曲した略Ｌ字状に形成されている。このような巾木１００においては、一対の巾木部材１００ａ及び１００ｂの一端同士をトメ加工することによって形成される。したがって、巾木１００は、巾木部材１００ａの一端に形成されたトメ加工面１５０ａと、巾木部材１００ｂの一端に形成されたトメ加工面１５０ｂとを対向するように当接し固定するための固定部材１４０を有する。すなわち、巾木部材１００ａと巾木部材１００ｂは、略Ｌ字状に形成される巾木１００の形状に対応してＬ字状に形成された固定部材１４０を用いて、互いに固定されることによって巾木１００を形成する。
【００３８】
なお、本実施形態においては、一か所で屈曲した形状を例に挙げているが、トメ加工によって巾木部材を複数個つなぎ合わせて複数個所で屈曲した形状にすることも可能である。また、巾木１００はトメ加工を利用して屈曲形状を形成しているが、他の加工方法によって屈曲形状を実現してもよい。また、トメ加工などによって屈曲された屈曲部分は、少なくとも室内空間側に突出する表面側を曲面に加工してもよい。このようにすることで他の物体との接触による損傷を軽減することができる。
【００３９】
図８は、本開示の第２実施形態に係る巾木１００の断面図である。具体的には、図８は、図７に示された巾木１００のＢ−Ｂ’断面を示す図である。図８によると、巾木１００は、床材によって形成される床面に対して略垂直に形成される裏側立壁部１２０と、床材によって形成される床面に対して所定の角度だけ傾斜するように形成される表側立壁部１１０と、裏側立壁部２０及び表側立壁部１０を連結するように床面に略平行な方向に形成される連結部１３０とを含む。
【００４０】
連結部１３０には、その上面に、図７で示すように、巾木部材１００ａの一端と巾木部材１００ｂの一端同士を接合するための固定部材１４０が設置されている。当該固定部材１４０は、連結部１３０の上面に対して接着剤やネジ、釘などによって固定される。なお、本実施形態では連結部１３０の上面に固定部材１４０を固定したが、固定する位置は連結部の下面、表側立壁部１１０、裏側立壁部１２０又はそれらの組み合わせであってもよい。
【００４１】
以上、本実施形態においては、巾木１００の表側立壁部１１０をその上部から下部にかけて裏側立壁部１２０の方向に傾斜するように形成するとともに、巾木１００の上面側に壁材を載置するようにした。これによって、より美観に優れた巾木を提供することが可能となる。また、表側立壁部１１０の屈曲部は曲面を有する。これによって、美観を向上するとともに、他の物体の接触による損傷や、塵や埃などの積層を防止することが可能となる。さらに、巾木１００は、アルミニウムなどの材料を押出加工することによって、表側立壁部１１０の傾斜面や屈曲部の曲面の形成が可能となる。
【００４２】
＜その他＞
各実施形態で説明した各要素を適宜組み合わせるか、それらを置き換えてシステムを構成することも可能である。
【００４３】
また、本開示において、巾木１又は巾木１００は、床材に対して固定具を用いて固定されている。しかし、これに限らず接着剤などを用いて固定してもよい。さらに、上記のように接着剤で固定する場合や、施工時に固定具用の穴を形成する場合など、固定具を挿入する固定穴部３２は必ずしもあらかじめ形成する必要はない。
【００４４】
また、本開示において、巾木１又は巾木１００は、柱材、床材及び壁材を有する構造建築物に対して用いられている。このような構造建築物は、典型的には家屋などの木構造建築物が挙げられるが、当然これに限らない。本開示に係る巾木は、木構造建築物以外にも、鉄骨構造、鉄筋コンクリート構造、コンクリート充填鋼管構造などの様々構造建築物にも同様に適用することが可能である。つまり、本開示に係る巾木１又は巾木１００とともに用いられる壁材、床材、柱材は、木材に限らず鉄骨など様々なものを用いることが可能である。
【００４５】
さらに、本開示に係る巾木１又は巾木１００は、上記のような構造建築物の内部で用いられ、床材上に配置されるパーティションや造作壁などの壁材などにも用いることが可能である。
【符号の説明】
【００４６】
１          ：巾木
２          ：柱材
３          ：床材
４          ：壁材
４ａ        ：表面
４ｂ        ：裏面
５          ：固定具
１０        ：表側立壁部
１１        ：表側立壁本体部
１２        ：表側立壁下端部
１２ａ      ：下端
１３        ：表側立壁上端部
１３ａ      ：上端
１４        ：屈曲部
２０        ：裏側立壁部
２１        ：裏側立壁本体部
２２        ：裏側立壁下端部
２２ａ      ：下端
２３ａ      ：上端
３０        ：連結部
３１        ：溝部
３２        ：固定穴部
３２−１    ：固定穴部
１００      ：巾木
１００ａ    ：巾木部材
１００ｂ    ：巾木部材
１１０      ：表側立壁部
１２０      ：裏側立壁部
１３０      ：連結部
１３１      ：溝部
１３２−１  ：固定穴部
１４０      ：固定部材
１５０ａ    ：トメ加工面
１５０ｂ    ：トメ加工面
Ｃ１        ：曲面
Ｈ１        ：高さ
Ｏ１        ：壁材側開口
Ｏ２        ：床材側開口
【図１】
2022000562.tif 000003
【図２】
2022000562.tif 000004
【図３】
2022000562.tif 000005
【図４】
2022000562.tif 000006
【図５】
2022000562.tif 000007
【図６】
2022000562.tif 000008
【図７】
2022000562.tif 000009
【図８】
2022000562.tif 000010